(57)【要約】【課題】複数の機種で共有化を図る場合にフレキシブル基板の面積の増加を最小限に抑えることができ、またインピーダンス調整における最適化を容易に行うことができるアンテナ装置を提供する。【解決手段】アンテナ装置６は、フレキシブル基板６１と、フレキシブル基板６１上に構成されたアンテナエレメント６２と、フレキシブル基板６１上に構成され、アンテナエレメント６２に電気的に接続されたアンテナ整合回路６３と、を備え、アンテナ整合回路６３をフレキシブル基板６１上に実装部品として実装した。これにより、アンテナ整合回路６３をパターンで形成する場合と比べて複数の携帯無線機で共有化を図る場合に、フレキシブル基板６１の面積の増加を最小限に抑えることができる。また、アンテナ整合回路６３を構成する実装部品としてコイルやコンデンサを使用することで、インピーダンス調整における最適化を容易に行うことができる。【選択図】図１
2013179478.tif 000002
【特許請求の範囲】
【請求項１】
フレキシブル基板と、
前記フレキシブル基板上に構成されたアンテナエレメントと、
前記フレキシブル基板上に構成され、前記アンテナエレメントに電気的に接続されたアンテナ整合回路と、
を備えたことを特徴とするアンテナ装置。
【請求項２】
請求項１に記載のアンテナ装置であって、
前記アンテナエレメントは、前記フレキシブル基板上に該フレキシブル基板のパターンとして形成されたことを特徴とするアンテナ装置。
【請求項３】
請求項１又は請求項２に記載のアンテナ装置であって、
前記アンテナ整合回路は、前記フレキシブル基板上に実装部品として実装されたことを特徴とするアンテナ装置。
【請求項４】
請求項１乃至請求項３のいずれか一項に記載のアンテナ装置であって、
前記フレキシブル基板上に構成され、前記アンテナ整合回路に電気的に接続された無線回路を更に備えたことを特徴とするアンテナ装置。
【請求項５】
請求項１乃至請求項４のいずれか一項に記載のアンテナ装置を備えたことを特徴とする携帯無線機。
【発明の詳細な説明】
【技術分野】
【０００１】
本発明は、携帯電話、スマートフォン等の携帯無線機に用いて好適なアンテナ装置に関する。
【背景技術】
【０００２】
上述したアンテナ装置の一例が特許文献１に記載されている。特許文献１に記載されたアンテナ装置は、フレキシブル基板に整合回路とアンテナエレメントをパターンで形成している。特に、このアンテナ装置では、複数の機種で共用できるように、複数の整合回路を配置し、不要なパターンをカットすることで、所望の整合回路が選択できるようになっている。また、パターンのみでインピーダンスを調整するようにしているので、インピーダンス調整のためのコイルやコンデンサを必要としない分、安価にできるという利点を有している。
【先行技術文献】
【特許文献】
【０００３】
【特許文献１】特開２０００−２８６６２４号公報
【発明の概要】
【発明が解決しようとする課題】
【０００４】
しかしながら、特許文献１に記載されたアンテナ装置は、アンテナ整合回路をパターンで形成しているため、複数の機種（例えば携帯無線機）での共有化を考えた場合、フレキシブル基板の面積を広くする必要があり、小型化が要望されている携帯電話やスマートフォン等の携帯無線機への適用が難しい。即ち、複数の機種での共有化を考えた場合、複数のアンテナ整合回路のパターンを形成することになるので、パターン数が増える分、フレキシブル基板の面積を広くする必要があり、携帯無線機の小型化を阻害してしまう。
【０００５】
また、特許文献１に記載されたアンテナ装置は、インピーダンス調整をパターンのみで行っているため、コイルやコンデンサ等の実装部品を使用する場合と比べて最適化が難しい。
【０００６】
本発明は、係る事情に鑑みてなされたものであり、複数の機種で共有化を図る場合にフレキシブル基板の面積の増加を最小限に抑えることができ、またインピーダンス調整における最適化を容易に行えるアンテナ装置を提供することを目的とする。
【課題を解決するための手段】
【０００７】
本発明のアンテナ装置は、フレキシブル基板と、前記フレキシブル基板上に構成されたアンテナエレメントと、前記フレキシブル基板上に構成され、前記アンテナエレメントに電気的に接続されたアンテナ整合回路と、を備えた。
【０００８】
上記構成によれば、フレキシブル基板上にアンテナ整合回路を構成することで、アンテナ整合回路をパターンで形成した場合と比べて複数の機種（例えば携帯無線機）で共有化を図る場合に、フレキシブル基板の面積の増加を最小限に抑えることができる。
【０００９】
上記構成において、前記アンテナエレメントは、前記フレキシブル基板上に該フレキシブル基板のパターンとして形成された。
【００１０】
上記構成によれば、アンテナエレメントをフレキシブル基板のパターンとして形成することで、アンテナエレメントを立体的（３次元方向）に構成できるので、省スペース化が図れる。例えば、フレキシブル基板を断面コ字状に形成した場合、アンテナエレメントも断面コ字状になり、平面的（２次元方向）に構成した場合と比べて省スペース化が図れる。
【００１１】
上記構成において、前記アンテナ整合回路は、前記フレキシブル基板上に実装部品として実装された。
【００１２】
上記構成によれば、アンテナ整合回路をフレキシブル基板上に実装部品として実装することで、アンテナ整合回路をパターンで形成した場合と比べてフレキシブル基板に占める割合を小さくでき、複数の機種（例えば携帯無線機）で共有化を図る場合に、フレキシブル基板の面積の増加を最小限に抑えることができる。
また、アンテナ整合回路を構成する実装部品としてコイルやコンデンサを使用することで、インピーダンス調整における最適化を容易に行うことができる。
【００１３】
上記構成において、前記フレキシブル基板上に構成され、前記アンテナ整合回路に電気的に接続された無線回路を更に備えた。
【００１４】
上記構成によれば、フレキシブル基板上に無線回路を実装することで、無線回路とアンテナ整合回路との接続をパターンで行うことができるので、給電ケーブルを使用する場合と比べてコストダウンが図れる。
【００１５】
本発明の携帯無線機は、前記アンテナ装置を備えた。
【００１６】
上記構成によれば、携帯無線機の小型化が図れる。
【発明の効果】
【００１７】
本発明によれば、複数の機種（例えば携帯無線機）で共有化を図る場合に、フレキシブル基板の面積の増加を最小限に抑えることができ、またインピーダンス調整における最適化を容易に行うことができる。
【図面の簡単な説明】
【００１８】
【図１】本発明の実施の形態１に係るアンテナ装置を備えた携帯無線機の概略構成を示す図であり、（ａ）は背面視図、（ｂ）は側面視図
【図２】本発明の実施の形態２に係るアンテナ装置を備えた携帯無線機の概略構成を示す図であり、（ａ）は背面視図、（ｂ）は側面視図
【図３】本発明の実施の形態３に係るアンテナ装置を備えた携帯無線機の概略構成を示す図であり、（ａ）は背面視図、（ｂ）は側面視図
【発明を実施するための形態】
【００１９】
以下、本発明を実施するための好適な実施の形態について、図面を参照して詳細に説明する。
【００２０】
（実施の形態１）
図１は、本発明の実施の形態１に係る携帯無線機の概略構成を示す図であり、（ａ）は背面視図、（ｂ）は側面視図である。同図において、本実施の形態に係る携帯無線機１は、縦長方形状の筐体２を有するスマートフォンと呼ばれるものであり、無線回路４が実装されたリジッド基板３と、無線回路４等に電源を供給する電池５と、アンテナ装置６と、給電ケーブル７とを備える。
【００２１】
リジッド基板３は、筐体２内の上端側に配置され、アンテナ装置６は筐体２内の下端側に配置される。電池５は、リジッド基板３とアンテナ装置６との間に配置される。アンテナ装置６は、断面コ字状の上面が開口した方形箱状体を成すフレキシブル基板６１と、フレキシブル基板６１に形成されたアンテナエレメント６２と、フレキシブル基板６１に実装されたアンテナ整合回路６３とを備える。
【００２２】
アンテナエレメント６２は、フレキシブル基板６１にパターンとして形成される。この場合、図１の（ｂ）に示すように、アンテナエレメント６２は、フレキシブル基板６１の内側の面、もしくは外側の面、もしくは内層、あるいはそれらを組み合わせて形成される。フレキシブル基板６１に、パターンとしてアンテナエレメント６２を形成することで、アンテナエレメント６２を立体的（３次元方向）に構成することが可能となり、省スペース化が図れる。本実施の形態では、フレキシブル基板６１を、断面コ字状の上面が開口した方形箱状体に形成しているので、アンテナエレメント６２も同様の形状となり、平面的（２次元方向）に構成した場合と比べて省スペース化が図れる。
【００２３】
アンテナ整合回路６３は、コイルやコンデンサ等の実装部品としてフレキシブル基板６１上に実装される。この場合、アンテナ整合回路６３は、アンテナエレメント６２と同様に、フレキシブル基板６１の内側の面、もしくは外側の面、あるいはそれらを組み合わせた場所に設けられる。アンテナ整合回路６３を、コイルやコンデンサ等の実装部品としてフレキシブル基板６１上に実装することで、フレキシブル基板６１上にパターンで形成する場合と比べて複数の機種（様々な種類の携帯無線機）で共有化を図る場合に、フレキシブル基板６１の面積の増加を最小限に抑えることができる。即ち、機種毎にコイルやコンデンサ等の実装部品を設けても、機種毎にパターンを形成するよりもフレキシブル基板６１に占める面積が広くなることがないので、フレキシブル基板６１の面積の増加を最小限に抑えることができる。
【００２４】
また、アンテナ整合回路６３にコイルやコンデンサ等の実装部品を使用することで、インピーダンス調整の最適化を容易に行えるようになる。即ち、アンテナ整合回路６３をパターンで形成した場合、インピーダンス調整においてパターンの長さを変えたりする必要があり、特にパターンを短くすることは容易に行えるものの、一旦短くしてしまうと元に戻すことは容易ではないため、インピーダンス調整に手間がかかってしまう。これに対して、コイルやコンデンサ等の実装部品では定数を変えることで容易にインピーダンス調整ができる。
【００２５】
また、アンテナ整合回路６３を、フレキシブル基板６１上に実装することで、アンテナエレメント６２との接続をパターンで行うことができるので、給電に必要な部品（ピン、バネ等）を必要としない。これにより、アンテナエレメント６２の設計自由度が高くなり、またコストを削減できる。
【００２６】
給電ケーブル７は、リジッド基板３に実装された無線回路４とアンテナ装置６のアンテナ整合回路６３を電気的に接続するものである。
【００２７】
このように本実施の形態に係る携帯無線機１のアンテナ装置６は、フレキシブル基板６１と、フレキシブル基板６１上に構成されたアンテナエレメント６２と、フレキシブル基板６１上に構成され、アンテナエレメント６２に電気的に接続されたアンテナ整合回路６３と、を備え、アンテナ整合回路６３をフレキシブル基板６１上に実装部品として実装したので、アンテナ整合回路６３をパターンで形成する場合と比べて複数の携帯無線機で共有化を図る場合に、フレキシブル基板６１の面積の増加を最小限に抑えることができる。また、アンテナ整合回路６３を構成する実装部品としてコイルやコンデンサを使用することで、インピーダンス調整における最適化を容易に行うことができる。
【００２８】
また、アンテナエレメント６２をフレキシブル基板６１のパターンとして形成したことで、アンテナエレメント６２を立体的（３次元方向）に構成することができ、省スペース化が図れる。
また、アンテナエレメント６２とアンテナ整合回路６３を同一のフレキシブル基板６１上に構成したことで、給電に必要な部品（ピン、バネ等）が不要になり、アンテナエレメント６２の設計自由度を高くできるとともに、コストを削減できる。
【００２９】
なお、本実施の形態では、フレキシブル基板６１の形状を、断面コ字状の上面が開口した方形箱状体としたが、この形状に限定されるものではなく、例えば断面Ｌ字状に形成することも可能である。
【００３０】
（実施の形態２）
図２は、本発明の実施の形態２に係る携帯無線機の概略構成を示す図であり、（ａ）は背面視図、（ｂ）は側面視図である。なお、同図において、前述した図１と共通する部分には同一の符号を付けている。本実施の形態に係る携帯無線機１０は、前述した実施の形態１に係る携帯無線機１と同様に、縦長方形状の筐体２を有するスマートフォンと呼ばれるものであり、フレキシブル基板１１と、フレキシブル基板１１に実装された無線回路４と、無線回路４等に電源を供給する電池５と、アンテナ装置１２とを備える。
【００３１】
フレキシブル基板１１は、筐体２内の上方に配置され、電池５は、フレキシブル基板１１の下方に配置される。アンテナ装置１２は、フレキシブル基板１１の端部１１１を利用し、このフレキシブル基板１１の端部１１１と、該端部１１１に形成されたアンテナエレメント１２２と、フレキシブル基板１１の端部１１１に実装されたアンテナ整合回路１２３とを備える。フレキシブル基板１１の端部１１１は、断面コ字状の下面が開口した方形箱状体に形成されており、その内側の面、もしくは外側の面、もしくは内層、あるいはそれらの組み合わせでアンテナエレメント１２２がパターンとして形成されている。アンテナエレメント１２２は、アンテナ整合回路１２３を介して無線回路４と接続されている。
【００３２】
このようにアンテナ装置１２は、フレキシブル基板１１の一部分を利用しているので、実施の形態１のアンテナ装置６のフレキシブル基板６１のような専用のフレキシブル基板を持たない分、コストの削減が可能となる。また、アンテナエレメント１２２を、アンテナ整合回路１２３を介して無線回路４に接続するので、図１で示したような給電ケーブル７を必要とせず、また給電に必要な部品（ピン、バネ等）も必要としない。これにより、アンテナエレメント１２２の設計自由度を高くできるとともに、コストの削減が可能となる。
【００３３】
このように、本実施の形態に係る携帯無線機１０のアンテナ装置１２においても、アンテナ整合回路１２３をパターンで形成する場合と比べて複数の携帯無線機で共有化を図る場合に、フレキシブル基板１１の面積の増加を最小限に抑えることができる。また、アンテナ整合回路１２３を構成する実装部品としてコイルやコンデンサを使用することで、インピーダンス調整における最適化を容易に行うことができる。
【００３４】
また、アンテナエレメント１２２をフレキシブル基板１１のパターンとして形成したことで、アンテナエレメント１２２を立体的（３次元方向）に構成することができ、省スペース化が図れる。
また、アンテナエレメント１２２とアンテナ整合回路１２３を同一のフレキシブル基板１１上に構成したことで、給電に必要な部品（ピン、バネ等）が不要になり、アンテナエレメント１２２の設計自由度を高くできるとともに、コストを削減できる。
【００３５】
なお、本実施の形態では、フレキシブル基板１１の端部１１１の形状を断面コ字状の下面が開口した方形箱状体としたが、この形状に限定されるものではなく、例えば断面Ｌ字状に形成することも可能である。
【００３６】
（実施の形態３）
図３は、本発明の実施の形態３に係る携帯無線機の概略構成を示す図であり、（ａ）は背面視図、（ｂ）は側面視図である。なお、同図において、前述した図１及び図２と共通する部分には同一の符号を付けている。本実施の形態に係る携帯無線機２０は、実施の形態２に係る携帯無線機１０における電池５、フレキシブル基板１１及びアンテナ装置１２それぞれの配置を逆にしたものである。即ち、電池５が、筐体２内の上方に配置され、フレキシブル基板１１が電池５の下方に配置され、更にアンテナ装置１２がフレキシブル基板１１の下方に配置されている。電池５、フレキシブル基板１１及びアンテナ装置１２それぞれの配置を変えただけで、その他は実施の形態２に係る携帯無線機１０と同様の効果が得られる。
【産業上の利用可能性】
【００３７】
本発明は、複数の機種で共有化を図る場合にフレキシブル基板の面積の増加を最小限に抑えることができ、またインピーダンス調整における最適化を容易に行うことができるといった効果を有し、携帯電話やスマートフォン等の携帯無線機への適用が可能である。
【符号の説明】
【００３８】
１，１０，２０  携帯無線機
２  筐体
３  リジッド基板
４  無線回路
５  電池
６，１２  アンテナ装置
７  給電ケーブル
１１，６１  フレキシブル基板
６２，１２２  アンテナエレメント
６３，１２３  アンテナ整合回路
１１１  フレキシブル基板の端部
【図１】
2013179478.tif 000003
【図２】
2013179478.tif 000004
【図３】
2013179478.tif 000005